(57)【要約】      （修正有）【課題】建築現場においても容易に構成できる工法であり、工場で部材を生産して現場においては、部材を図面とおり組み合わせる耐震工法を提供する。【解決手段】木造住宅構造の立面、構造上下の床平面に亘って全構造に太い柱材を統一の上、組合せた構造であり、各角部に一般的には１本の柱であるところ、ＮＣ耐震工法は、各角部に２本の柱を設け、床用の根太も一般的には細い角材で並列施工であるところ、床用は太い柱材を使い長方形枠を製作し、構造の最上部２階床及び構造下部１階床に組合せてあり、当該３方を一体化し、以上の組合せにより耐震上、重力の合力作用に対応する平均バランスを取った構造の組合せであるから大地震Ｓ波の波状で構造が激しく横揺れする状態を緩和すべく組合せたことろを特徴とする。【選択図】図１
0003148597.tif 000002
【実用新案登録請求の範囲】
【請求項１】
本考案は、耐震性に重点をおき、「図１Ａ」の如く構造の立面各角部に、高度な耐震性を有す２本柱を設けてあり、
同じく「図１Ｂ」の長方形枠は、構造最上部の２階に接する「２階床」の根太（横木の如く）として一枠づつ各柱に接合する形体で組合せてあり、
なお、同じく一方の「図１Ｃ」の長方形枠は、構造最下部床の根太として一枠づつ各柱に接合する形体で組合せてあり、
上記は、地震の揺れにより荷重する重力の合力作用に対応する物であり、構造組合せ全体の質量の分布バランスを最良に成すべく前述の各角部の２本柱を組合せ接合、構造上部２階床用の長方形枠を組合せ接合、構造下部１階床用の長方形枠を組合せ接合、この３方個々の物品を組合せて一体化したところを特徴とするＮＣ耐震工法。
【請求項２】
「請求項１」に記載した構造立面の各角部に２本の柱（記号１）を設け、構造最上部の２階に接する「２階床部」に長方形枠（記号５）を設け、一方構造の最下部１階床用に、長方形枠（記号６）を設け、
この３方の物品を組合せて、「請求項１」の構造全体を構成した中の２本柱は、一般的住宅構造に使用されている単一柱を２本に接合した形状であり、この形態の２本柱を当該構造の四ッ角に設けた物であり、地震の揺れが発生した場合、構造内に林立している単一柱を守る働きをする機能を発揮すべく、最良のバランスである。よって構造の各四ッ角に、２本柱（記号１）を組合せたところを特徴とするＮＣ耐震工法の装置。
【請求項３】
「請求項２」に記載した構造各角部に２本柱の組合せに続き、「請求項１」の構造全体を構成した中で、構造の天井位置より３００ｍｍないし５００ｍｍ（建築によっては寸法が異なる）の上部位置の２階床根太（横木）を並列に並べる工法が一般的（図３）であるところ、本考案は長方形枠（記号５）を特定して組合せたところを特徴とするＮＣ耐震工法の装置。
【請求項４】
「請求項３」に記載した長方形枠を特定した組合わせに続き、「請求項１」の構造全体を構成した中で、前項と同じく、床根太の施工は並列に並べる工法が一般的（図３・４）であるところ、本考案は前項の２階床根太と同様に、構造下部１階床にも前項と同一の長方形枠（記号６）を土台（記号４）に密着する形体で組合せたところを特徴とするＮＣ耐震工法の装置。
【考案の詳細な説明】
【技術の分野】
【０００１】  本考案の技術分野の背景と前提、地震の横揺れに強い上記名称ニューコンストラクション（以下、ＮＣ耐震工法という。）の木造耐震住宅の新建築工法の考案である。
地震のとき、建造物が倒壊する原因を簡単明瞭に示せば、地震の巨大エネルギーによって、建造物の構造が激しく横揺れするから強度不足の建造物は倒壊するものである。よって、この危険性を緩和する考案である。
ところで、従来の木造建築工法（以下、従来工法という。）は、前項の横揺れ防止用として、住宅構造の各接合点に細く薄いＬ字形の金具で固定したり、構造を支えるため参考図２（文献）の如く、細い筋交い（約４５ミリ程度の角材）を固定しているのが一般的従来工法の現状である。（当該文献は国のプロジェクト大工育成塾の教科書）
なお、従来工法の天井面の組合せ程度は、約３５ミリ余の細い角材で組合せて、その上に３ミリないし５ミリの薄い木質合板のパネルを張ってあり、この外観の見場は立派であるが、前記数ミリ単位で組合せた天井を一般的に採用している。斯様にミリ単位では大地震の場合、簡単に天井が落下する物と解す。
第１技術の特徴
本考案は、地震による構造の横揺れに対する防御策を前提として、前述従来工法の数ミリ単位の部材ではなく、強力な約１００ミリ余のオール太い柱材をもって、長方形枠（図１のＢ部・Ｃ部）を組合せ、なお各角部には２本柱を設け、立面の各柱と一体化し、全構造の強度がより強力な特徴を有すＮＣ耐震工法である。この組合せは以下。
第２技術の特徴
本考案の組合せは、従来工法の場合は太い柱の間に、細い間柱（小）を混ぜて施工し、なお細い横木、筋交いなど入り混じる部材を使用しているのに比し、本考案の構造組合せは、従来工法においては例を見ない各角部に２本柱を設けたことによって、全構造に林立するその他の１本柱を耐震上、防御する特徴を有す。
第３技術の特徴
本考案の長方形枠は、強い柱材を使用して、工場で量産し、記号５・６の如く、連結形状に組合せる簡単な長方形の枠であるが「しかし、この長方形枠」は、構造の最上部の２階に接する２階床及び最下部の１階床（以下、構造の上下という。）に組合せたことによって構造全体に亘って、高度な安全性（ご参考図の図３・４）を有す特徴がある装置である。（当該長方形枠は、その他にも使用可能である。）
【背景技術】
【０００２】  本考案を研究する課程において、先行調査を兼ねて実際の木造住宅建築現場を約３８ヵ所巡回したところ、阪神淡路大地震以来、木造住宅構造の変化した点は、従来工法の柱と柱との間隔を従来１．２ｍの間に細い間柱（小）を採用（参考図の図３・４）し、旧態依然であったり、中には柱と柱との間隔を９０ｃｍに設定して柱の接合点に小形の金具で固定、この現場は良心的であり、多少進歩したと見受けるに至る。
木造住宅構造の実態は前項の如く、寸法、素材等がまちまちで不統一である。木造建築においては壁量計算のバランスを重視するだけの建築確認システムで役所が認可し、構造計算を不要としているから斯様に不統一だと解す。よって本考案冒頭のニューコンストラクション工法、即ちＮＣ耐震工法を考案するに至る。
【考案の開示】
【考案が解決しようとする課題】
【０００３】  先ず従来工法は、細い筋交い、細い間柱（小）の組合せであり、これに比し、本考案は、構造の各角部に２本柱を設け、構造の上下には長方形の枠組みによって耐震強度を強化する課題を解決しようとするものである。
【課題を解決するための手段】
【０００４】  考案を解決する手段は、図１Ａ・Ｂ・Ｃのとおり構造の組合せが成立したので課題を解決している。
【考案の効果】
【０００５】  Ａ）阪神淡路大地震は７秒で神戸の大都市が崩壊した（当時の建設省・気象庁発表）その７秒で死者６，４２５人、負傷者５万人、この教訓からして本考案は未然人命救助に微力乍ら役立つと解す。
Ｂ）当該部材を工場で量産段階には経済効果を有す。
Ｃ）先ず地場産業の活性効果が大きいと期待される。
【本考案を実施するための最良の形態】
【０００６】  本考案の実施は、全部材を工場で生産し合理化によってコスト・ダウンが可能あり、建築現場においては、図面とおり組合せれば成立する構造であるから容易な施工ある。
【実施例】
【０００７】  先ず（図面１）Ａ部構造の立面を組合せると同時に、構造の各角部には、２本の柱を組合せて構造４辺の立面が成立した上で、「図１」Ｂ部の長方形単一枠を構造の上下の壁内側に組み込んで、立面・構造の上下・床面に亘って、この３方を一体化の組合せて容易に実施可能である。【０００８】  （図１）のＢ部とＣ部は、構造の上下床兼用施工であり、荷重及び横揺れに対し、構造の安定度はバランスが生命線であるため、構造四面各角部に２本の柱を設け、構造の上下は、長方形の枠を複数組合せる物であるから施工実施は容易である。【０００９】  本考案の実施例は上述の如く組合せの特定バランスと、特定組合せの構成から成る物であるから、安全性が高度であり、一方工場において部材の生産合理化によって建築現場作業が半減される。
【産業上の利用可能性】
【００１０】  本考案の出願人青木義典の私は建築会社の社長である関係で、第一段階は同業者グループが実施する。
【図面の簡単な説明】
【００１１】
【図１】  本考案図は考案を簡明に示すため、Ａ部は、構造の立面全体を見渡せる鳥瞰図的に示し、Ｂ部は構造上部、Ｃ部は構造下部、この３部を分離作成した図である。
【図２】  参考図である。従来工法と本考案のＮＣ耐震工法との違いを示す一般的従来工法の基本図である。
【図３】  文献（国のプロジェクトである大工育成塾の教科書）のコピーである。本考案との比較用の参考図。
【図４】  同  上
【符号の説明】
１．本考案本体の組合せ全般を把握可能である鳥瞰図的に作成。特に各角部の２本柱を示す。
２．単一の柱を示す。
３．１階の最上段であり、２階に接する２階床ばり（梁）である。
４．土台（基礎コンクリート立上り部に接する）。
５．構造上部用、組合せ用の単一長方形枠。
６．構造下部用、土台床組合せの単一長方形枠（同上）。
備考：もし不明な点があった場合、参考図ご参照。
【図１】
0003148597.tif 000003
【図２】
0003148597.tif 000004
【図３】
0003148597.tif 000005
【図４】
0003148597.tif 000006
【手続補正書】
【提出日】平成20年8月5日(2008.8.5)
【手続補正１】
【補正対象書類名】実用新案登録請求の範囲
【補正対象項目名】全文
【補正方法】変更
【補正の内容】
【実用新案登録請求の範囲】
【請求項１】
本考案の木造住宅構造（以下、構造という。）の組合せは、従来の構造とは異なり、構造の各間取り四方角部の４箇所に、従来構造は１本の柱を設けるところを、本考案は、地震の横揺れの防御用として前述の１本柱より強い２本柱（記号１）を接合して組合せてあり、
構造の最上部の２階床面を、従来の構造は文献の参考図記号（ロ）の如く、同２階床の根太（横木）を横渡し、並列にした従来の構造よりも、本考案は、耐震強度並に構造の横揺れを防御する長方形枠体（記号５）と、各柱とを一体化したから構造が高度に安定する組合せであり、
構造の最下部の１階床面を、従来の構造は前記と同じく、文献の参考図記号（ハ）の如く、同１階床の根太（横木）を横渡し、並列にした従来の構造よりも、本考案は、耐震強度並びに構造の横揺れを防御する長方形枠体と、各柱とを一体化したから構造が高度に安定する組合せであり、
本考案の以上の３点は、前記構造の角部毎に２本柱を設け、構造の最上部に長方形枠体を設け、同下部にも同じく長方形枠体を設け、この３点を一体化して組合せたところを特徴とする木造住宅構造。
【請求項２】
「請求項１」に記載の木造住宅構造において、当該構造全体の中で、構造の間取り（各部屋毎）四方角部の４箇所に組合せた２本柱は、構造を高度に安定させるための２本柱であり、よって、高震度時の構造の横揺れ防御用に組合せたところを特徴とする２本柱複合体組合せ装置。
【請求項３】
構造の最上部の２階床面について、前項に続き、「請求項１」に記載の木造住宅構造において、当該構造全体の中で、長方形枠体は、構造の最上部（２階床）を高度に安定させるための長方形枠体であり、この長方形枠体は構造上部全体の各柱に接合する複合体であり、よって、高震度時の構造の横揺れ防御用に組み合わせたところを特徴とする長方形枠体の複合体組合せ装置。
【請求項４】
構造の最下部の１階床面について、前項に続き、「請求項１」に記載の木造住宅構造において、当該構造全体の中で、長方形枠体は、構造の最下部（１階床）を高度に安定させるための長方形枠体であり、この長方形枠体は構造下部全体の各柱に接合する複合体であり、よって、高震度時の構造の横揺れ防御用に組み合わせたところを特徴とする長方形枠体の複合体組合せ装置。
【請求項５】
長方形枠体の枠自体の組合せについて、前項に続き、「請求項１」に記載の長方形枠体の組合せは、記号５・６の如く、単一枠を組合せることによって、各接合点の素材が二重の複合体となって、構造全体の柱上下に接合し、構造全体が一体化に成る物であり、
木造住宅構造の危険部位は周知の如く、構造の各接合点にあり、特に危険な部位は、構造下部の床部分の土台と、各柱との接合点にあり、この接合点に従来の構造はＬ字形金具（厚み２ミリないし３ミリ、巾約２５ミリ、Ｌ字形の全長約１４０ミリ程度「業者によって異なる」）を設けてあるところ、
本考案は前記の如く、特に危険部位である土台と各柱との接合点に前記のＬ字形金具を使用せず、長方形枠体を接合することによって、構造全体の各部に働く重力の合力が作用するバランスが質量中心の一致に近づける物であり、よって、長方形枠体、土台（構造全体を支える横木）、柱この３方を組合せたところを特徴とする基礎（床部）の組合せ装置。
【手続補正書】
【提出日】平成20年11月8日(2008.11.8)
【手続補正１】
【補正対象書類名】実用新案登録請求の範囲
【補正対象項目名】全文
【補正方法】変更
【補正の内容】
【実用新案登録請求の範囲】
【請求項１】
本考案は、木造住宅構造の各角に２本の柱を組合せる考案であり、従来の木造住宅建築においては、構造の立面全体に亘って、柱を１ｍ前後の間隔を置いて１本づつ設ける工法が一般的であるところを、
本考案は、当該木造住宅構造の各部屋毎、四面角の４ヵ所に、２本の柱を合体した形状で設けてあり、この２本柱の組合せの目的は、該構造全体に林立する個々の１本柱に荷重する重量負担を軽減する目的であり、よって構造全体の安全度を高度に増す、耐震強度を強化する組合せであり、該１本柱に荷重する重力の負担を軽減する手段は、
構造の各部屋毎、四面角の４ヵ所に設けた２本柱と２本柱との間に、仲立ちの形体で存立する複数の１本柱に荷重の負担を、この各角と角との２本柱が必然的に１本柱を防御する組合せであるから構造全体の安定度を高度に増す、耐震強度を強化する組合せであり、よって各部屋毎の四面角の４ヵ所に２本柱を組合せたところを特徴とする２本柱の組合せ装置。